(57)【要約】      （修正有）【課題】含浸性を有するパフ部と含浸性を有しないパフ部とを有し、最適な化粧をすることができる化粧用パフを提供する。【解決手段】化粧用パフ５０は、含水性を有するスポンジパフ部５１と、含水性を有しないシリコンパフ部５２と、を有する。スポンジパフ部とシリコンパフ部との少なくとも一部分は相互に接し、一体化されている。【選択図】図１
0003212431.tif 000002
【実用新案登録請求の範囲】
【請求項１】
含水性を有する第１パフ部と、
含水性を有しない第２パフ部と、を有し、
前記第１パフ部および前記第２パフ部の少なくとも一部分は相互に接し一体化している、化粧用パフ。
【請求項２】
前記第１パフ部は、スポンジ状の材質から成るスポンジパフ部であり、
前記第２パフ部は、シリコン樹脂状の材質から成るシリコンパフ部である、請求項１に記載の化粧用パフ。
【請求項３】
前記第１パフ部と前記第２パフ部とはそれぞれ立体的な形状を有する、請求項１または請求項２に記載の化粧用パフ。
【請求項４】
前記第１パフ部と前記第２パフ部とはそれぞれ平板状の形状を有し、
前記第１パフ部の一方の平面部と前記第２パフ部の一方の平面部とは着脱自在に接合される、請求項１または請求項２に記載の化粧用パフ。
【請求項５】
前記第１パフ部の一方の平面部と前記第２パフ部の一方の平面部との一部分には窪みが形成され、
前記第１パフ部の一方の平面部と前記第２パフ部の一方の平面部とが接合されたときに、前記窪みは指の挿入部を形成する、請求項４に記載の化粧用パフ。
【請求項６】
前記第１パフ部と前記第２パフ部とはそれぞれ平板状の形状を有し、
前記第１パフ部は窪みの形成された２枚のスポンジパフ片が最中合せに接合されて形成され、前記窪みには前記第２パフ部が内蔵され、
前記第２パフ部は、前記第１パフ部の合わせ面を開くことによって、または、前記第２パフ部を前記第１パフ部の合わせ面から迫り出すことによって、露出させる、請求項１または請求項２に記載の化粧用パフ。
【請求項７】
前記第１パフ部は、前記第２パフ部の一部分を被うことができるケース状の形状を有し、
前記第２パフ部の少なくとも一部分は前記ケース状の前記第１パフ部によって覆われている、請求項１または請求項２に記載の化粧用パフ。
【考案の詳細な説明】
【技術分野】
【０００１】
本考案は、含水性を有するパフ部と含水性を有しないパフ部とを備えた化粧用パフに関する。
【背景技術】
【０００２】
主に女性が化粧をする際に用いられる化粧用具として、ファンデーションや頬紅などの化粧料を顔に塗布する化粧用パフが知られている。
【０００３】
化粧用パフは、材質や形状によって、それぞれの特徴があることから、化粧用パフの材質や形状は日々工夫され続けている。
【０００４】
たとえば、特許文献１に開示されている化粧用パフは、汚れのない部分で化粧ができるように、化粧用パフの形状を、角部が丸められた星形形状の平板としている。また、特許文献２に開示されている化粧用パフは、平板状である一般的な化粧用パフの欠点を解消するため、瓢箪状の立体的な形状としている。
【０００５】
しかし、特許文献１および２に記載の化粧用パフは、スポンジ状の材料によって形成されているので、その表面は比較的粗い。そのため、微粒子のファンデーションや頬紅などの化粧料は化粧用パフの表面に付着しやすいが、その化粧料が顔の皮膚に移り難いという欠点がある。
【０００６】
この欠点を解消するために、最近では、たとえば特許文献３に示すような、樹脂発砲体によって形成された化粧用パフも用いられている。この化粧用パフによれば、微粒子のファンデーションや頬紅などの化粧料が内部に染み込まないので、その化粧料は顔の皮膚にスムースに移る。
【先行技術文献】
【特許文献】
【０００７】
【特許文献１】特開２０１５−０５８１７０号公報
【特許文献２】特開２０１５−１８８５７７号公報
【特許文献３】特開２００８−０４３６３３号公報
【考案の概要】
【考案が解決しようとする課題】
【０００８】
このように、従来は、それぞれ材質や形状の特徴を生かした、様々な化粧用パフが流通している。ユーザーは、様々な化粧用パフの中から、自身の化粧に適した化粧用パフを選択する。通常は、自身の化粧に適している汎用的な化粧用パフを持つか、自身のそれぞれの化粧に最適な化粧用パフを複数持つ。
【０００９】
汎用的な化粧用パフの場合、顔のある部分のファンデーションの塗布には適しているが他の部分のファンデーションの塗布には適していない場合がある。この場合にはユーザーには化粧の仕上がり具合に妥協が強いられる。また、複数の化粧用パフを用いる場合には、化粧の仕上がり具合に妥協は強いられないが、多くの化粧用パフを持ち歩かなければならず、その持ち運びが煩雑である。
【００１０】
本考案に係る化粧用パフは、このような従来の問題点を解消するために、含水性を有するパフ部と含水性を有しないパフ部とを備えた化粧用パフの提供を目的とする。
【課題を解決するための手段】
【００１１】
上記目的を達成するための本考案に係る化粧用パフは、含水性を有するパフ部と、含水性を有しないパフ部と、を有する。両パフ部の少なくとも一部分は相互に接して一体化されている。
【考案の効果】
【００１２】
本考案に係る化粧用パフによれば、含水性を有するパフ部と含水性を有しないパフ部とを有するので、ユーザーは、両方のパフ部を用いて、最適な化粧をすることができる。
【００１３】
ユーザーは、化粧の仕上がり具合に妥協が強いられることはなくなる。また、持ち運ぶ化粧用パフの数を少なくできるので、持ち運びの煩雑さが軽減される。
【図面の簡単な説明】
【００１４】
【図１】実施形態１に係る化粧用パフを示す図であり、（Ａ）は、その化粧用パフの斜視図、（Ｂ）は、その化粧用パフの側面図である。
【図２】実施形態２に係る化粧用パフを示す図であり、（Ａ）は、その化粧用パフの側面図、（Ｂ）は、その化粧用パフの底面図である。
【図３】実施形態２に係る化粧用パフの変形例１を示す図である。
【図４】実施形態２に係る化粧用パフの変形例２を示す図である。
【図５】実施形態３に係る化粧用パフを示す図であり、（Ａ）は、その化粧用パフの斜視図、（Ｂ）は、その化粧用パフの側面図である。
【図６】実施形態４に係る化粧用パフの斜視図である。
【図７】実施形態５に係る化粧用パフを示す図であり、（Ａ）は、その化粧用パフの斜視図、（Ｂ）は、その化粧用パフの側面断面図であり、（Ｃ）および（Ｄ）は、その化粧用パフの使用態様を示す図である。
【図８】実施形態６に係る化粧用パフを示す図であり、（Ａ）は、その化粧用パフの分解図、（Ｂ）は、その化粧用パフの完成図である。
【考案を実施するための形態】
【００１５】
以下、本考案に係る化粧用パフの実施形態を［実施形態１］から［実施形態６］に分けて説明する。
【００１６】
［実施形態１］
図１に示す化粧用パフ５０は、含水性を有するスポンジパフ部５１と含水性を有しないシリコンパフ部５２とを有する。スポンジパフ部５１とシリコンパフ部５２とはそれぞれ図１に示すような平板状の形状を有する。スポンジパフ部５１の一方の面とシリコンパフ部５２の一方の面とは接着剤によって強固に接合される。
【００１７】
化粧用パフ５０の正面の形状は、図１（Ａ）の斜視図に示すように、円形状である。また、化粧用パフ５０の側面の形状は、図１（Ｂ）に示すように、長方形状である。
【００１８】
化粧用パフ５０は、スポンジパフ部５１とシリコンパフ部５２とを有するので、ユーザーは、ファンデーションや頬紅などの化粧料に応じて、スポンジパフ部５１とシリコンパフ部５２とを選択的に使用することができる。
【００１９】
［実施形態２］
図２は実施形態２に係る化粧用パフを示す図である。図２（Ａ）は、その化粧用パフの側面図であり、図２（Ｂ）は、その化粧用パフの底面図である。
【００２０】
図２に示す化粧用パフ１００は、含水性を有するスポンジパフ部１１０と含水性を有しないシリコンパフ部１２０とを有する。スポンジパフ部１１０とシリコンパフ部１２０とは、それぞれ面対称に同一の立体的な形状を有する。スポンジパフ部１１０とシリコンパフ部１２０とは互いの接合面１３０を背中合せに着脱自在に一体化されて瓢箪状の形状を形成する。スポンジパフ部１１０は、従来の化粧用スポンジに使用される各種のスポンジ材料を用いて形成することができる。シリコンパフ部１２０は、各種シリコーン（シリコン樹脂）を適宜使用して形成することができる。
【００２１】
化粧用パフ１００の側面の形状は、図２（Ａ）に示すように、瓢箪状の形状である。また、化粧用パフ１００の底面の形状は、図２（Ｂ）に示すように、円形形状である。化粧用パフ１００は、接合面１３０から着脱自在であるので、ユーザーは化粧に適したパフ部を用いて化粧ができる。
【００２２】
化粧用パフ１００は、立体的な形状を有しているので、ユーザーの手持感が良好である。また、ユーザーは、ファンデーションや頬紅などの化粧料に応じて、スポンジパフ部１１０とシリコンパフ部１２０とを選択的に使用することができる。さらに、ユーザーは、化粧の場所に応じて、スポンジパフ部１１０とシリコンパフ部１２０の様々な曲率のカーブ面、角部、尖端部を巧みに用いることができる。このため、ファンデーションや頬紅などの化粧料を顔の様々な部分に均一に塗ることができる。シリコンパフ部１２０を用いることにより、肌あたりが滑らかとなりフィット感が良く細かい部分も塗ることができる。ユーザーは、得たい使用感や、メンテナンスの負荷等を考慮してシリコンパフ部１２０とスポンジパフ部１１０を適宜使い分けることができる。
【００２３】
さらに、化粧用パフ１００を使用しないときには、スポンジパフ部１１０とシリコンパフ部１２０を接合させて、図２（Ａ）のように立たせることができる。このため、収納に場所を取らず、収納が容易となる。
【００２４】
［変形例１］
図３は、実施形態２に係る化粧用パフの変形例１を示す図である。
【００２５】
図３に示す化粧用パフ２００は、含水性を有するスポンジパフ部２１０と含水性を有しないシリコンパフ部２２０とを有する。スポンジパフ部２１０とシリコンパフ部２２０とは、それぞれ図２に示すような面対称に同一の立体的な形状を有する。スポンジパフ部２１０とシリコンパフ部２２０とは互いの接合面２３０を背中合せに着脱自在に一体化されてハート状の形状を形成する。
【００２６】
化粧用パフ２００の、接合面２３０と平行な方向から見た側面の形状は、図３に示すように、ハート状の形状である。化粧用パフ２００は、スポンジパフ部２１０とシリコンパフ部２２０とを、接合面２３０から着脱自在であるので、ユーザーは化粧に適したパフ部を用いて化粧ができる。
【００２７】
化粧用パフ２００の使い勝手の良さは図２の化粧用パフ１００と同様である。さらに、図３の化粧用パフ２００は、スポンジパフ部２１０とシリコンパフ部２２０とが着脱自在であるため、洗い易く乾かし易いシリコンパフ部２２０のみを取り外して丸洗いすることもでき、より効率的にメンテナンスを行うことができる。
【００２８】
［変形例２］
図４は、実施形態２に係る化粧用パフの変形例２を示す図である。
【００２９】
図４に示す化粧用パフ３００は、含水性を有するスポンジパフ部３１０と含水性を有しないシリコンパフ部３２０とを有する。スポンジパフ部３１０とシリコンパフ部３２０とはそれぞれ図４に示すような、チューリップの花びら状の立体的な形状を有する。スポンジパフ部３１０とシリコンパフ部３２０とはそれらの一部分が相互に接し着脱自在に一体化されて花びら状の形状を形成する。
【００３０】
化粧用パフ３００の、側面の形状は、図４に示すように、チューリップの花びら状の形状である。スポンジパフ部３１０とシリコンパフ部３２０とは分離自在であるので、ユーザーは化粧に適したパフ部を用いて化粧ができる。
【００３１】
化粧用パフ３００の使い勝手の良さは図２の化粧用パフ１００と同様である。さらに、図４の化粧用パフ３００は、各パフ部の一部分が相互に接し着脱自在に一体化されているため、収納に場所を取らず、収納が容易であると共に、各パフ部の先端はズレて設けられているため、ユーザーは各パフ部を適切に使い分けることができる。
【００３２】
［実施形態３］
図５は、実施形態３に係る化粧用パフを示す図である。図５（Ａ）は、その化粧用パフの斜視図であり、図５（Ｂ）は、その化粧用パフの側面図である。
【００３３】
図５に示す化粧用パフ５００は、含水性を有するスポンジパフ部５１０と含水性を有しないシリコンパフ部５２０とを有する。スポンジパフ部５１０とシリコンパフ部５２０とはそれぞれ図５に示すような平板状の形状を有する。スポンジパフ部５１０の一方の平面部５３０Ａとシリコンパフ部５２０の一方の平面部５３０Ｂとは着脱自在に接合される。
【００３４】
化粧用パフ５００の正面の形状は、図５（Ａ）の斜視図に示すように、円形状である。また、化粧用パフ５００の側面の形状は、図５（Ｂ）に示すように、長方形状である。化粧用パフ５００は、平面部５３０Ａ、Ｂから着脱自在であるので、ユーザー化粧に適したパフ部を用いて化粧ができる。
【００３５】
ユーザーは、ファンデーションや頬紅などの化粧料に応じて、スポンジパフ部５１０とシリコンパフ部５２０とを選択的に使用することができる。
【００３６】
［実施形態４］
図６は、実施形態４に係る化粧用パフの斜視図である。
【００３７】
図６に示す化粧用パフ６００は、図５に示した化粧用パフ５００に指の挿入部を形成したものである。
【００３８】
図６に示す化粧用パフ６００は、含水性を有するスポンジパフ部６１０と含水性を有しないシリコンパフ部６２０とを有する。スポンジパフ部６１０とシリコンパフ部６２０とはそれぞれ図６に示すような平板状の形状を有する。
【００３９】
スポンジパフ部６１０の一方の平面部６３０Ａとシリコンパフ部６２０の一方の平面部６３０Ｂとの一部分には窪み６５０Ａ、Ｂが形成される。スポンジパフ部６１０の一方の平面部６３０Ａとシリコンパフ部６２０の一方の平面部６３０Ｂとは着脱自在に接合される。
【００４０】
スポンジパフ部６１０の一方の平面部６３０Ａとシリコンパフ部６２０の一方の平面部６３０Ｂとが接合されたときに、窪み６５０Ａ、Ｂは指の挿入部６６０を形成する。ユーザーは、ファンデーションや頬紅などの化粧料を付着させる面を選択して、挿入部６６０に指を入れる。これにより、ユーザーは、化粧用パフ６００を掴むことなく、容易に化粧用パフ６００を保持するこができ、化粧に適したパフ部を用いて化粧ができる。
【００４１】
［実施形態５］
図７は、実施形態５に係る化粧用パフを示す図である。図７（Ａ）は、その化粧用パフの斜視図、図７（Ｂ）は、その化粧用パフの側面断面図、図７（Ｃ）および図７（Ｄ）は、その化粧用パフの使用態様を示す図である。
【００４２】
図７に示すように、化粧用パフ７００は、スポンジパフ部７１０、シリコンパフ部７２０を有し、スポンジパフ部７１０、シリコンパフ部７２０はそれぞれ平板状の形状を有する。図７（Ｂ）に示すように、スポンジパフ部７１０は窪みの形成された２枚のスポンジパフ片７１０Ａ、７１０Ｂが最中合せに接合されて形成される。スポンジパフ片７１０Ａ、７１０Ｂの窪みにはシリコンパフ部７２０が内蔵される。
【００４３】
シリコンパフ部７２０は、図７（Ｃ）に示すように、スポンジパフ部７１０の合わせ面７３０を開くことによって、または、図７（Ｄ）に示すように、シリコンパフ部７２０をスポンジパフ部７１０の合わせ面７３０から迫り出すことによって、露出する。
【００４４】
化粧用パフ７００の正面の形状は、図７（Ａ）の斜視図に示すように、円形状である。また、化粧用パフ７００の側面の形状は、図７（Ｂ）に示すように、膨らみを持った長方形状である。
【００４５】
化粧用パフ７００は、両面がスポンジパフ部７１０であり、その内部にシリコンパフ部７２０が内蔵された形態となっている。ユーザーは、必要に応じて、図７（Ｃ）、（Ｄ）に示すように、内蔵されているシリコンパフ部７２０を露出させることができる。
【００４６】
このため、ユーザーは、ファンデーションや頬紅などの化粧料に応じて、スポンジパフ部７１０を用いて化粧をしたり、必要に応じてシリコンパフ部７２０を用いて化粧をしたりできる。
【００４７】
［実施形態６］
図８は、実施形態６に係る化粧用パフを示す図である。図８（Ａ）は、その化粧用パフの分解図、図８（Ｂ）は、その化粧用パフの完成図である。
【００４８】
図８に示す化粧用パフ８００は、含水性を有するスポンジパフ部８１０と含水性を有しないシリコンパフ部８２０とを有する。図８（Ａ）に示すように、スポンジパフ部８１０は、シリコンパフ部８２０の一部分を被うことができるケース状の形状を有する。図８（Ｂ）に示すように、シリコンパフ部８２０の少なくとも一部分はケース状のスポンジパフ部８１０によって覆われ、一体化される。
【００４９】
ユーザーは、ファンデーションや頬紅などの化粧料に応じて、スポンジパフ部８１０とシリコンパフ部８２０とを選択的に使用することができる。
【００５０】
以上のように、本考案に係る化粧用パフによれば、スポンジパフ部とシリコンパフ部と
という異なる材質のパフ部を有するので、ユーザーは、化粧の種類に応じて、スポンジパフ部またはシリコンパフ部を選択することができ、最適な化粧をすることができる。
【００５１】
また、ユーザーは、化粧の仕上がり具合に妥協が強いられることがなくなり、化粧時のストレスが軽減される。また、持ち運ぶ化粧用パフの数が少なくなるので、持ち運びの煩雑さが軽減される。
【符号の説明】
【００５２】
５０  化粧用パフ、
５１  スポンジパフ部、
５２  シリコンパフ部、
１００  化粧用パフ、
１１０  スポンジパフ部、
１２０  シリコンパフ部、
１３０  接合面、
２００  化粧用パフ、
２１０  スポンジパフ部、
２２０  シリコンパフ部、
３００  化粧用パフ
３１０  スポンジパフ部、
３２０  シリコンパフ部、
５００  化粧用パフ、
５１０  スポンジパフ部、
５２０  シリコンパフ部、
５３０Ａ、Ｂ  平面部、
６００  化粧用パフ、
６１０  スポンジパフ部、
６２０  シリコンパフ部、
６３０Ａ、Ｂ  平面部、
６５０Ａ、Ｂ  窪み、
６６０  挿入部、
７００  化粧用パフ、
７１０  スポンジパフ部、
７１０Ａ、７１０Ｂ  スポンジパフ片、
７２０  シリコンパフ部、
７３０  合わせ面、
８００  化粧用パフ、
８１０  スポンジパフ部、
８２０  シリコンパフ部。
【図１】
0003212431.tif 000003
【図２】
0003212431.tif 000004
【図３】
0003212431.tif 000005
【図４】
0003212431.tif 000006
【図５】
0003212431.tif 000007
【図６】
0003212431.tif 000008
【図７】
0003212431.tif 000009
【図８】
0003212431.tif 000010